(57)【要約】【課題】コネクタの着脱時のフレキシブル基板への負荷を抑制でき、且つ、ターミナル及びフレキシブル基板の組立てが容易なフレキシブル基板のターミナル構造を提供すること。【解決手段】複数の切欠き部６９が設けられた第１薄型発光基板６２に、規制部６７が設けられたターミナル６６を固定する。また、アウトサイドミラーユニット１のレンズ３１に係合部３８と複数のカシメ用ピン３７を設ける。前記切欠き部６９と前記カシメ用ピン３７との位置を合わせ、さらに、前記規制部６７と前記係合部３８との位置を合わせて、カシメ用ピン３７の熱カシメによって第１薄型発光基板５８をレンズ３１に固定する。これにより、容易に組立てることができる。前記ターミナル６６へのコネクタの着脱時の負荷は、規制部６７を介して係合部３８で受けることができる。これにより、第１薄型発光基板６２への負荷を抑制できる。【選択図】        図６
2005175137.tif 000002
【特許請求の範囲】
【請求項１】
光源を装備したフレキシブル基板と、
前記フレキシブル基板に固定されたターミナルと、
前記ターミナルに設けられた規制部と、
前記フレキシブル基板を固定する固定部材に設けられ、且つ、前記規制部と係合する係合部と、
を具備することを特徴とするフレキシブル基板のターミナル構造。
【請求項２】
前記ターミナルには、コネクタが着脱可能に結合され、
前記コネクタは、前記規制部または前記係合部に当接することを特徴とする請求項１に記載のフレキシブル基板のターミナル構造。
【請求項３】
前記固定部材には、前記コネクタの固定手段が設けられていることを特徴とする請求項１または２に記載のフレキシブル基板のターミナル構造。
【発明の詳細な説明】
【技術分野】
【０００１】
本発明は、フレキシブル基板のターミナル構造に関するものである。特に、この発明は、フレキシブル基板にターミナルを固定する際に、フレキシブル基板へのストレスを抑制することができるフレキシブル基板のターミナル構造に関するものである。
【背景技術】
【０００２】
従来のフレキシブル基板は、フレキシブル基板自体が剛性を有していないため、コネクタの着脱時にフレキシブル基板に負荷を与えないよう、コネクタが接続された電気コードをフレキシブル基板の電気回路に電気的に接続していた。この電気コードによってフレキシブル基板に接続されたこのコネクタと、外部の電気回路からのコネクタとを結合することにより、当該フレキシブル基板に電気供給していた。ところが、このような構造のフレキシブル基板では、コネクタ同士の着脱時や、振動等により当該フレキシブル基板と前記電気コードの接続部に負荷が生じる虞があった。このように負荷が生じ、その負荷が大きい場合には、前記接続部は断線する虞があった。
【０００３】
そこで、従来のフレキシブル基板では、電気コードを介さず、フレキシブル基板に直接ターミナルを接続しているものがある。例えば、特許文献１では、ケースにターミナルを固定し、当該ケースにフレキシブル基板の一例であるフレキシブルプリント配線基板を固定している。さらに、当該フレキシブルプリント配線基板と前記ターミナルとを半田によって電気的に接続している。このような構造にすることにより、ターミナルとコネクタとの着脱時の負荷はケースで受けることができるので、前記フレキシブルプリント配線基板に負荷を与えることはなく、また、断線を抑制することができた。
【０００４】
【特許文献１】特開２００３−２４３８２２号公報
【発明の開示】
【発明が解決しようとする課題】
【０００５】
ところが、上記の構造では、フレキシブルプリント配線基板とターミナルとを、それぞれ別々にケースに固定し、ケースに固定した状態で半田によって双方を電気的に接続している。このように、フレキシブルプリント配線基板とターミナルとをケースに固定する際に別々で固定するため、位置合わせの精度が必要であった。このため、製造が困難なものとなっていた。
【０００６】
そこで、本発明は、上記に鑑みてなされたものであって、コネクタの着脱時のフレキシブル基板への負荷を抑制でき、且つ、ターミナル及びフレキシブル基板の組立てが容易なフレキシブル基板のターミナル構造を提供することを目的とする。
【課題を解決するための手段】
【０００７】
上述した課題を解決し、目的を達成するために、この発明に係るフレキシブル基板のターミナル構造は、光源を装備したフレキシブル基板と、前記フレキシブル基板に固定されたターミナルと、前記ターミナルに設けられた規制部と、前記フレキシブル基板を固定する固定部材に設けられ、且つ、前記規制部と係合する係合部と、を具備することを特徴とする。
【０００８】
この発明では、フレキシブル基板を固定部材に固定する際に、まず規制部が設けられたターミナルをフレキシブル基板に固定し、ターミナルが固定された状態のフレキシブル基板を、固定部材に固定する。その際に、前記ターミナルの前記規制部を、固定部材に設けられた係合部と係合させる。前記ターミナルとコネクタとの着脱時には、着脱する際にターミナルにかかる負荷を、前記規制部を介して前記係合部で受けることができる。この結果、コネクタの着脱時のフレキシブル基板への負荷を抑制でき、且つ、ターミナル及びフレキシブル基板を容易に組立てることができる。
【０００９】
また、この発明に係るフレキシブル基板のターミナル構造は、前記ターミナルには、コネクタが着脱可能に結合され、前記コネクタは、前記規制部または前記係合部に当接することを特徴とする。
【００１０】
この発明では、前記コネクタを前記ターミナルに結合する際に、当該コネクタをターミナルに設けられた規制部、または、固定部材に設けられた係合部に当接させることにより、コネクタの結合方向の動きを規制している。この結果、コネクタの動きを規制する部材を新たに設ける必要がなく、ターミナル及びフレキシブル基板を容易に組立てることができる。
【００１１】
また、この発明に係るフレキシブル基板のターミナル構造は、前記固定部材には、前記コネクタの固定手段が設けられていることを特徴とする。
【００１２】
この発明では、前記固定部材に前記コネクタの固定手段を設けることにより、コネクタをターミナルに結合した際に、前記ターミナルに負荷を与えることなく、コネクタを固定できる。ターミナルに負荷が与えられた場合には、このターミナルを介して前記フレキシブル基板に負荷が与えられる虞があるが、固定部材にコネクタの固定手段が設けられているので、フレキシブル基板への負荷を抑制できる。この結果、コネクタをターミナルに結合した際のフレキシブル基板への負荷を抑制することができる。
【発明の効果】
【００１３】
本発明にかかるフレキシブル基板のターミナル構造は、コネクタの着脱時のフレキシブル基板への負荷を抑制でき、且つ、ターミナル及びフレキシブル基板を容易に組立てることができる、という効果を奏する。
【発明を実施するための最良の形態】
【００１４】
以下に、本発明にかかるフレキシブル基板のターミナル構造の実施例を図面に基づいて詳細に説明する。なお、この発明を実施例によりこの発明が限定されるものではない。また、下記実施例における構成要素には、当業者が置換可能かつ容易なもの、或いは実質的に同一のものが含まれる。また、本発明のかかるフレキシブル基板のターミナル構造は、フレキシブル基板を使用する様々な灯具が考えられるが、実施例として、自動車用アウトサイドミラーに装備するアウトサイドミラーランプユニットを説明する。
【実施例】
【００１５】
以下の説明は、本発明のフレキシブル基板のターミナル構造を備えた自動車用アウトサイドミラーを装着する車両の前方、後方、左側、右側を、フレキシブル基板のターミナル構造においても前方、後方、左側、右側として説明する。図１は、本発明に係るフレキシブル基板のターミナル構造を備えるアウトサイドミラーランプユニットの組立図である。図２は、図１のＡ−Ａ断面図である。図１のアウトサイドミラーランプユニット１は、車両（図示省略）の左側に設けられる車両用アウトサイドミラー（図示省略）に取り付けられるアウトサイドミラーランプユニット１の一例であり、以下の説明も車両の左側に設けられる車両用アウトサイドミラーに取り付けられるアウトサイドミラーランプユニット１を説明する。当該アウトサイドミラーランプユニット１は、スカルキャップ１１、ハウジング２１、レンズ３１及び薄型発光基板５８から構成される。このアウトサイドミラーランプユニット１は、前記車両用アウトサイドミラーの前面に設けられるものであり、前記スカルキャップ１１は、当該車両用アウトサイドミラーの前面の筐体の役割も兼ね備えている。
【００１６】
前記スカルキャップ１１は、前方に凸となるように膨らんだ曲面を有して形成されている。また、前記スカルキャップ１１には、前記車両の外側寄りに、つまり、当該スカルキャップ１１が設けられる左側の車両用アウトサイドミラーにおいては左側寄りに、窓部１２が設けられている。この窓部１２は２つ設けられており、上下方向の所定の位置に所定間隔で設けられている。
【００１７】
前記スカルキャップ１１の後方側の面には、レンズ３１が組み合わされる。このレンズ３１は、前面が前記スカルキャップ１１の後方側の形状に沿った形状で形成されており、この前面３２には前記窓部１２に相当する位置に、前記窓部１２に嵌り込むように凸状の形状に形成された第１透過部３３が設けられている。また、このレンズ３１には、左側の側面に第２透過部３４が設けられている。当該レンズ３１と前記スカルキャップ１１を組立てる際には、当該第１透過部３３の周囲にヒモパッキン５１を設け、レンズ３１の前面３２とスカルキャップ１１との間に、このヒモパッキン５１が挟み込まれるようにして組立てる。また、このレンズ３１にはフレキシブル基板である薄型発光基板５８が固定され、当該レンズ３１は、この薄型発光基板５８を固定する固定部材としての役割も兼ね備えている。
【００１８】
この薄型発光基板５８は、第１薄型発光基板６２と第２薄型発光基板６３とが設けられており、双方の薄型発光基板５８は、共に前記レンズ３１の内側に固定される。その固定する位置は、第１薄型発光基板６２は、当該レンズ３１の前面３２に設けられた２つの前記第１透過部３３の間に相当する部分に固定される。第２薄型発光基板６３は、前記第１透過部３３の内側に相当する部分の左側、或いは前記第２透過部３４寄りの部分に固定される。また、当該レンズ３１には、前記第２透過部３４の反対側、即ち、右側に略矩形の筒状の形状で形成される結合口３５が設けられている。前記第１薄型発光基板６２にはターミナル６６が固定されており、第１薄型発光基板６２を当該レンズ３１固定する際には、前記結合口３５内にターミナル６６が位置するように固定する。
【００１９】
前記レンズ３１の後方側には、ハウジング２１が組み合わされる。このハウジング２１の前面の左側寄りの所定の位置には、前方に突出した隔壁２２が形成されている。また、このハウジング２１の前面、即ち、前記レンズ３１に面する側の面には、メッキ等が施されたリフレクタが設けられており、前記隔壁２２より右側は第１リフレクタ２３、隔壁より左側は第２リフレクタ２４として形成されている。
【００２０】
図３は、図１のアウトサイドミラーランプユニットに固定される薄型発光基板の平面図である。図４は、図３のＤ−Ｄ断面図である。図５は、図１のＢ−Ｂ矢視図である。前記薄型発光基板５８及びその固定する部分について詳細に説明する。前記薄型発光基板５８は、略矩形の板状の弾性部材から形成されており、その弾性部材に光源となるＬＥＤ（発光ダイオード）６４が複数装備されている。この複数のＬＥＤ６４は、当該薄型発光基板５８を形成する矩形の長手方向に沿って一列で形成されている。また、この薄型発光基板５８には、前記ＬＥＤ６４や、ダイオード、抵抗を含む電気回路が構成され、当該薄型発光基板５８に設けられている。
【００２１】
この薄型発光基板５８の詳細な構造は、表面に前記電気回路となるプリント配線６１が形成された厚さ０．２〜０．９ｍｍの薄い基板６０を有しており、その上に複数の前記ＬＥＤ６４が配置されている（基板６０の厚さはプリント配線６１を含む）。前記略矩形の板状の弾性部材は、この基板６０によって形成されている。また、前記ＬＥＤ６４は、ＬＥＤチップ６４ａと透明樹脂６４ｂとから形成されている。このＬＥＤチップ６４ａはエポキシ樹脂製で、前記基板６０はガラスエポキシ樹脂製である。ＬＥＤチップ６４ａは基板６０上に配置され、その上からドーム型の透明樹脂６４ｂで覆われて固定されている。薄型発光基板５８は、これらのようにエポキシ樹脂やガラスエポキシ樹脂を用いて形成することにより、当該薄型発光基板５８の形状である略矩形の板の湾曲方向に、弾力性を有して形成されている。
【００２２】
また、このように形成された薄型発光基板５８は、第１薄型発光基板６２と第２薄型発光基板６３とが設けられており、双方は、２本の電気コード８１によって電気的に接続されている。その接続位置は、第１薄型発光基板６２を形成する略矩形の板状の端部付近と、第２薄型発光基板６３を形成する略矩形の板状の中央部付近との双方に設けられた接続部７１同士を、前記電気コード８１によって接続する。これにより、第１薄型発光基板６２の電気回路と、第２薄型発光基板６３の電気回路とは、電気的に接続される。
【００２３】
さらに、前記第１薄型発光基板６２には、前記電気回路と、外部の電気回路とを電気的に接続する部分である締結部６５が２ヶ所設けられており、この２ヶ所の締結部６５には、それぞれにターミナル６６が固定されている。このターミナル６６は、略矩形の板状の導体から形成されており、前記第１薄型発光基板６２を形成する矩形の長手方向に沿って２つターミナル６６がほぼ平行に形成されている。また、これらのターミナル６６は、第１薄型発光基板６２から突出して設けられており、前記第１薄型発光基板６２を形成する略矩形状の板の面に対して、当該ターミナル６６を形成する略矩形状の板の面が直交する向きで形成され、２つのターミナル６６は互いに他方と接触することなく設けられている。つまり、２つのターミナル６６は、双方の面が対向する向きで設けられている。このターミナル６６は、前記締結部６５に、リベット７０によって固定されている。また、第１薄型発光基板６２と第２薄型発光基板６３とには、矩形の長手方向の辺ｓに、切欠き部６９が所定の間隔で形成されている。この切欠き部６９は、略半円形の形状で切り欠かれて形成されている。
【００２４】
前記ターミナル６６には、２つターミナル６６が互いに対向する面の反対側の面、即ち、外側の面に、規制部６７が設けられている。この規制部６７は、外側方向に向けて突出し、ターミナル６６の形成方向と直交する方向に設けられており、所定の間隔を有して互いに対面する２つの板状の部材よって形成されている。このように、規制部６７は２つの板状の部材で形成されているため、２つの板状の部材の間は溝状の形状に形成されており、この溝のターミナル側の部分は底部６８として形成されている。この規制部６７が、２つのターミナル６６のそれぞれに設けられている。
【００２５】
前記レンズ３１の内側の、当該レンズ３１の前面３２に設けられた２つの前記第１透過部３３の間に相当する部分、即ち、前記第１薄型発光基板６２が固定される部分には、カシメ用ピン３７が形成されている。また、レンズ３１の内側の、当該レンズ３１の前面３２に設けられた２つの前記第１透過部３３の位置に相当する部分の前記第２透過部３４寄りの部分、即ち、前記第２薄型発光基板６３が固定される部分にも同様に、カシメ用ピン３７が形成されている。このカシメ用ピン３７は、前記レンズ３１の第１透過部３３が設けられている面の反対側の面に突出して設けられており、前記第１薄型発光基板６２及び第２薄型発光基板６３の辺ｓに形成された切欠き部６９とほぼ同一の間隔を有して複数形成されている。また、このカシメ用ピン３７の形状は、前記切欠き部６９を形成する半円形の径とほぼ同じか、若干小さい径を有する円柱形の形状で形成されている。
【００２６】
また、このレンズ３１には、係合部３８が設けられている。この係合部３８と、前記第１薄型発光基板６２が固定される部分に形成される前記カシメ用ピン３７とは、前記第１薄型発光基板６２に形成された切欠き部６９と前記ターミナル６６に形成された規制部６７との位置関係と同様な位置関係になるように配設されている。この係合部３８の形状は、前記ターミナル６６の１つのターミナル６６に形成される規制部６７を形成する２つの板状の部材が有する間隔、即ち、溝の幅よりも、若干薄い厚さからなる板状の部材によって形成されている。この板状の部材からなる係合部３８が、２つのターミナル６６のそれぞれに設けられた規制部６７に対応する位置に設けられている。このため、当該係合部３８も前記規制部６７と同様に２つ設けられており、係合部３８を形成する板状の部材が、同一方向に面して並んで形成されている。このように並んで形成される２つの係合部３８の間隔は、２つの板状の部材の互いに他方に近い部分である内側部３９同士の間隔が、前記２つの規制部６７の、それぞれの前記底部６８の間隔よりも若干大きくなる間隔で形成されている。また、この係合部３８は、レンズ３１に設けられた結合口３５内に設けられている。
【００２７】
前記レンズ３１には、前記ターミナル６６に着脱可能に結合するコネクタ８５を、当該ターミナル６６と結合した際に固定する固定手段であるコネクタ固定部４０が設けられている。このコネクタ固定部４０は、前記結合口３５に設けられている。このコネクタ固定部４０は、結合口３５の後方側、即ち、ハウジング２１が固定される側に、支持部４３を介して設けられており、この支持部４３を支点として弾性変形をするように形成されている。前記支持部４３から、前記レンズ３１の反対方向に向けた端部には、コネクタ係止部４１が設けられている。また、支持部４３から、前記結合口３５の開口している方向と直交する方向、或いは、支持部４３から後方に向けて、押え部４２が設けられている。
【００２８】
この実施例にかかるフレキシブル基板のターミナル構造は以上のごとき構成からなり、以下、その作用について説明する。図６は、図５のレンズに薄型発光基板を固定した図である。図７は、図６のＣ部詳細図である。前記第１薄型発光基板６２の前記レンズ３１への固定は、当該第１薄型発光基板６２に前記ターミナル６６が固定された状態で、レンズ３１の内側に固定する。その位置は、当該レンズ３１の前面３２に設けられた前記第１透過部３３の間に相当する部分、即ち、前記カシメ用ピン３７が形成されている位置に固定する。また、その向きは、第１薄型発光基板６２に設けられているＬＥＤ６４がレンズ３１の反対方向を向く向きにし、さらに、当該ターミナル６６が結合口３５側になる向きにして、レンズ３１の前記カシメ用ピン３７が設けられている側の面に固定する。即ち、第１薄型発光基板６２は、略矩形状の形状で形成されているが、この矩形の長手方向が略水平方向となる向きで固定されている。
【００２９】
前記第２薄型発光基板６３の前記レンズ３１への固定は、前記第１薄型発光基板６２と電気コード８１により接続された状態で、レンズ３１の内側に固定する。その位置は、第１透過部３３の位置に相当する部分の前記第２透過部３４寄りの部分、即ち、当該第２薄型発光基板６３の固定用の前記カシメ用ピン３７が形成されている位置に固定する。また、その向きは、第２薄型発光基板６３に設けられているＬＥＤ６４をレンズ３１の反対方向となる向きにし、さらに、当該第２薄型発光基板６３を形成する矩形の長手方向が略垂直方向となる向きで固定されている。
【００３０】
これらの薄型発光基板５８をレンズ３１に固定する際には、レンズ３１に設けられたカシメ用ピン３７と、薄型発光基板５８に設けられた前記切欠き部６９とが係合する位置に、薄型発光基板５８を配置する。その後、カシメ用ピン３７を熱カシメして、カシメ用ピン３７が薄型発光基板５８を挟み込むように変形させて薄型発光基板５８をレンズ３１に固定する。その際に、レンズ３１は上記のようにスカルキャップ１１の形状に合わせて曲面を有して形成されているが、前記薄型発光基板５８は弾力性を有しているので、その曲面に合わせ、当該曲面に沿った形状に弾性変形をして、レンズ３１に固定される。また、このようにして薄型発光基板５８をレンズ３１に固定する際には、第１薄型発光基板６２をレンズに固定する際に、ターミナル６６に設けられた規制部６７を形成する板状の部材の間、即ち、規制部６７の溝状に形成された部分に前記係合部３８を入れ、規制部６７と係合部３８とを係合させる。
【００３１】
このように、薄型発光基板５８をレンズ３１に固定した後に、前記アウトサイドミラーランプユニット１は、上記にように、レンズ３１の第１透過部３３の周囲にヒモパッキン５１を位置させて当該レンズ３１と前記スカルキャップ１１とで挟み込み、第１透過部３３がスカルキャップ１１の前記窓部１２に入り込むようにレンズ３１とスカルキャップ１１とを組立てる。さらに、このレンズ３１の後方に、第１リフレクタ２３及び第２リフレクタ２４をレンズ３１に面する向きでハウジング２１が組立てられる。これにより、前記第１薄型発光基板６２に装備されているＬＥＤ６４は、第１リフレクタ２３に面し、前記第２薄型発光基板６３に装備されているＬＥＤ６４は、第２リフレクタ２４に面する。
【００３２】
図８は、図２のコネクタとターミナルとの結合時の図である。上記のように組立てられた後、前記ターミナル６６にはコネクタ８５が結合される。その結合は、コネクタ８５を結合口３５に挿入し、ターミナル６６と結合させる。このコネクタ８５には、周囲に鍔部８６が設けられており、また、結合口３５には前記コネクタ固定部４０が設けられている。このコネクタ８５を結合口３５からターミナル６６に結合させると、鍔部８６はコネクタ固定部４０のコネクタ係止部４１に当接するが、コネクタ固定部４０は弾力性を有しているため、そのまま結合方向にコネクタ８５を移動させると、コネクタ固定部４０は、コネクタ係止部４１がコネクタ８５から離れる方向に弾性変形してコネクタ８５を結合方向に移動させることができる。コネクタ８５をさらに結合方向に移動させると、コネクタ８５は前記規制部６７に当接する。それとほぼ同時に、コネクタ８５の鍔部８６はコネクタ係止部４１が設けられている部分を通過し、コネクタ固定部４０はその弾性力により元の形状に戻る。これにより、コネクタ係止部４１は前記鍔部８６の、コネクタ８５の結合方向と反対方向の部分に位置して、当該鍔部８６を係止する。これにより、このコネクタ８５が離脱方向に移動しないように保持される。また、この状態では、鍔部８６は、前記結合口３５のレンズ３１の反対側の端である結合口端部３６に当接する。このようにして、前記ターミナル６６とコネクタ８５とは結合される。
【００３３】
このように結合した状態のコネクタ８５をターミナル６６から離脱させる際には、前記押え部４２を、前記レンズ３１の方向に押す。これにより、支持部４３を支点として、前記コネクタ係止部４１がコネクタ８５から離れる方向に動く。これにより、コネクタ８５をターミナル６６からの離脱方向に保持するものが無くなるため、コネクタ８５を当該離脱方向に引くことにより、コネクタ８５をターミナル６６から離脱させることができる。
【００３４】
図９は、図１のアウトサイドミラーランプユニットの、点灯時のＡ−Ａ断面図である。上記のようにコネクタ８５をターミナル６６に結合した状態で、コネクタ８５から前記薄型発光基板５８に電気を流すと、当該薄型発光基板５８に装備されているＬＥＤ６４に電気が流れ、当該ＬＥＤ６４が発光する。第１薄型発光基板６２に装備されるＬＥＤ６４が発光すると、当該ＬＥＤ６４に面している前記第１リフレクタ２３にその光は反射し、前記レンズ３１の第１透過部３３を透過して所定の方向に向けて照射される。また、第２薄型発光基板６３に装備されるＬＥＤ６４が発光すると、当該ＬＥＤ６４に面している前記第２リフレクタ２４にその光は反射し、レンズ３１の第２透過部３４を透過して所定の方向に向けて照射される。
【００３５】
以上のフレキシブル基板のターミナル構造は、ターミナル６６に設けられた規制部６７と、レンズ３１に設けられた係合部３８とが係合しているため、コネクタ８５をターミナル６６に結合する際に、結合方向の力を、規制部６７を介して係合部３８で受けることができる。この係合部３８は、上記のようにレンズ３１に設けられているため、コネクタ８５の結合方向の力は、この係合部３８或いはレンズ３１で受けることができる。また、ターミナル６６に結合されたコネクタ８５をターミナル６６から離脱する際にも、離脱方向の力を、ターミナル６６に設けられた規制部６７を介して、係合部３８或いはレンズ３１で受けることができる。具体的には、コネクタ８５の着脱方向にかかる力は、規制部６７を形成する板と、係合部３８を形成する板との双方の面が当接することにより、この力を係合部３８で受けることができる。また、コネクタ８５の着脱時には、前記着脱方向と直交する方向にも力がかかる可能性があるが、この力は、規制部６７の底部６８と、係合部３８の内側部３９とが当接することにより、この力を係合部３８で受けることができる。これらのように、コネクタ８５の着脱時にターミナル６６に作用する力は、係合部３８或いはレンズ３１で受けることができるので、ターミナル６６と第１薄型発光基板６２とを接続する部分である前記締結部６５へのこれらの力の作用を抑制できる。この結果、コネクタ８５の着脱時に第１薄型発光基板６２にかかる負荷を抑制できる。
【００３６】
また、このように、ターミナル６６が規制部６７と係合部３８との係合によって固定されているため、コネクタ８５を着脱する際にターミナル６６が動くようなことがなく、ターミナル６６に対してコネクタ８５を抜き差しするだけで、コネクタ８５を着脱できる。この結果、コネクタ８５の着脱が容易になる。
【００３７】
また、上記のように規制部６７と係合部３８とが係合しているため、前記ターミナル６６が固定されている第１薄型発光基板６２が備えられた車両の走行中の振動、または、他の要因により、ターミナル６６に結合されたコネクタ８５に負荷が生じ、その負荷がターミナル６６に作用した場合でも、その負荷を、規制部６７を介して係合部３８或いはレンズ３１で受けることができる。これにより、コネクタ８５の振動等によってターミナル６６に作用する負荷を抑制するでき、この結果、第１薄型発光基板６２にかかる負荷を抑制できる。
【００３８】
また、前記第１薄型発光基板６２と前記ターミナル６６の組立ては、第１薄型発光基板６２にリベット７０によりターミナル６６を固定し、第１薄型発光基板６２とターミナル６６とが一体の状態で、前記規制部６７をレンズ３１の係合部３８に、前記切欠き部６９をレンズ３１のカシメ用ピン３７に位置合わせをして熱カシメにより固定する。これにより、半田付けによって薄型発光基板に、薄型発光基板側のコネクタの電気コードを付ける場合などと比較して部品点数を減少させることができ、半田付けの工程も省くことができる。この結果、製造コストの低減を図ることができる。
【００３９】
また、上記のように薄型発光基板に電気コードを半田付けした際には、組み立て作業中に誤って電気コードを引っ張るなどして電気コードに負荷がかかり、電気コードが薄型発光基板から外れる虞がある。また、当該薄型発光基板側のコネクタと、このコネクタに接続する外部からのコネクタとを着脱する際にも、電気コードに負荷がかかり、当該電気コードが薄型発光基板から外れる虞がある。これに対し、上記の第１薄型発光基板６２では、前記薄型発光基板側のコネクタの電気コードに代わり、前記ターミナル６６がリベット７０によって固定されている。これにより、上記のように組立て作業中に負荷がかかっても、ターミナル６６が第１薄型発光基板６２から外れることを抑制し、また、ターミナル６６と外部のコネクタ８５との着脱時には、上記のように規制部６７と係合部３８とによって着脱時の負荷を受けることができるので、ターミナル６６が第１薄型発光基板６２から外れることを抑制できる。この結果、第１薄型発光基板６２を含む電気部品の製造時や使用時の破損を抑制できる。
【００４０】
また、前記コネクタ８５を前記ターミナル６６に結合した際に、当該コネクタ８５を前記規制部６７に当接させることによって、コネクタ８５の結合方向の動きを規制している。この結果、コネクタ８５をターミナル６６に結合した際の、当該コネクタ８５の結合方向の動きを規制する部材を新たに設ける必要がないので、ターミナル６６及び第１薄型発光基板６２を容易に組立てることができ、また、これにより、コストの低減を図ることができる。
【００４１】
また、前記レンズ３１の前記結合口３５には、前記コネクタ８５が離脱方向に移動しないように当該前記コネクタ８５を保持するコネクタ固定部４０を設けている。コネクタ８５が離脱方向に移動しないように当該コネクタ８５を保持する部材が無い場合には、この離脱方向の負荷は、コネクタ８５と結合しているターミナル６６に作用する。このため、コネクタ８５とターミナル６６との結合時の、コネクタ８５の離脱方向の負荷が、ターミナル６６と第１薄型発光基板６２の締結部６５、或いは第１薄型発光基板６２にかかる虞がある。これに対し、上記にように、コネクタ固定部４０をレンズ３１の結合口３５に設けることにより、コネクタ８５とターミナル６６との結合時の、コネクタ８５の離脱方向の負荷を、当該コネクタ固定部４０を介して結合口３５、或いはレンズ３１で受けることができる。この結果、コネクタ８５とターミナル６６との結合時に、ターミナル６６と第１薄型発光基板６２の締結部６５、或いは第１薄型発光基板６２にかかる負荷を抑制でき、この負荷に起因する破損を抑制できる。
【００４２】
なお、前記ターミナル６６は、リベット７０によって第１薄型発光基板６２に固定されているが、ターミナル６６を第１薄型発光基板６２に固定する方法は、スクリューを使用するなど、リベット７０による固定方法以外の方法であってもよい。ターミナル６６を第１薄型発光基板６２に確実に固定できれば、どのような方法であってもよい。また、薄型発光基板５８の固定は、熱カシメ以外の固定方法で固定してもよい。はめ込み式など、薄型発光基板５８を前記レンズ３１などの固定部材に確実に固定できる方法であれば、どのような方法を用いて固定してもよい。
【００４３】
また、前記規制部６７と前記係合部３８とは、規制部６７を形成する板の間、即ち、溝に係合部３８が入って係合する形状となっているが、例えば、規制部６７を１枚の板状の形状で形成し、係合部３８を２枚の板状の形状で形成するなど、上記以外の形状で形成してもよい。要は、ターミナル６６にかかるコネクタ８５の離脱方向と、この離脱方向と直交する方向の双方向の力を、規制部６７と係合部３８とが当接することにより係合部３８で受けることが出来る形状であれば、その形状は問わない。
【００４４】
また、係合部３８を設ける部材は、前記レンズ３１以外のもの、例えば、ハウジング２１等でもよい。係合部３８を設ける部材は、前記第１薄型発光基板６２を固定する部材、または第１薄型発光基板６２を固定する部材と一体となって形成する部材であれば、どの部材に設けてもよい。第１薄型発光基板６２を固定する部材、或いは当該部材と一体となって形成される部材に係合部３８を設けることによって、これらの部材でターミナル６６への負荷を受けることができるので、ターミナル６６に負荷がかかることによる第１薄型発光基板６２への負荷を抑制することができる。
【００４５】
また、前記薄型発光基板５８は、第１薄型発光基板６２と第２薄型発光基板６３とが形成されているが、薄型発光基板５８は１つのみで形成されていても、或いは、３つ以上が電気的に接続されたものであってもよい。また、外部のコネクタ８５と接続する薄型発光基板５８のターミナル６６周辺が上記の構造で形成されていれば、この薄型発光基板５８に電気的に接続されるそれ以外の薄型発光基板５８は、どのような方法で他の薄型発光基板５８と接続されていても構わない。薄型発光基板５８同士は電気的に接続できるので、数は必要に応じて設定すればよく、また、薄型発光基板５８の電気的な接続の着脱を行なうのは、外部のコネクタ８５と着脱する薄型発光基板５８のみで、薄型発光基板５８同士の接続部は、組立てた後は着脱しないので、これらの接続は、どのような方法を用いても構わない。
【００４６】
また、上記の説明は、フレキシブル基板のターミナル構造として、薄型発光基板５８を使用し、上記ターミナル構造を備えたアウトサイドミラーランプユニット１を説明しているが、上記のターミナル構造を備えたフレキシブル基板を使用する灯具であれば、アウトサイドミラーランプユニット１以外の灯具に使用してもよい。例えば、自動車のデザイン形状に合わせて湾曲したターンランプに装備するフレキシブル基板に、上記ターミナル構造を用いるなど、フレキシブル基板を使用する灯具であれば灯具の種類は問わない。
【産業上の利用可能性】
【００４７】
以上のように、本発明にかかるフレキシブル基板のターミナル構造は、フレキシブル基板に直接ターミナルを固定する場合に有用であり、特に、ターミナルにかかる負荷に起因するフレキシブル基板への負荷を抑制する場合に適している。
【図面の簡単な説明】
【００４８】
【図１】この発明に係るフレキシブル基板のターミナル構造を備えるアウトサイドミラーランプユニットの組立図である。
【図２】図１のＡ−Ａ断面図である。
【図３】図１のアウトサイドミラーランプユニットに固定される薄型発光基板の平面図である。
【図４】図３のＤ−Ｄ断面図である。
【図５】図１のＢ−Ｂ矢視図である。
【図６】図５のレンズに薄型発光基板を固定した図である。
【図７】図６のＣ部詳細図である。
【図８】図２のコネクタとターミナルとの結合時の図である。
【図９】図１のアウトサイドミラーランプユニットの、点灯時のＡ−Ａ断面図である。
【符号の説明】
【００４９】
１  アウトサイドミラーランプユニット
１１  スカルキャップ
１２  窓部
２１  ハウジング
２２  隔壁
２３  第１リフレクタ
２４  第２リフレクタ
３１  レンズ
３２  前面
３３  第１透過部
３４  第２透過部
３５  結合口
３６  結合口端部
３７  カシメ用ピン
３８  係合部
３９  内側部
４０  コネクタ固定部
４１  コネクタ係止部
４２  押え部
４３  支持部
５１  ヒモパッキン
５８  薄型発光基板
６０  基板
６１  プリント配線
６２  第１薄型発光基板
６３  第２薄型発光基板
６４  ＬＥＤ
６４ａ  ＬＥＤチップ
６４ｂ  透明樹脂
６５  締結部
６６  ターミナル
６７  規制部
６８  底部
６９  切欠き部
７０  リベット
７１  接続部
８１  電源コード
８５  コネクタ
８６  鍔部
【図１】
2005175137.tif 000003
【図２】
2005175137.tif 000004
【図３】
2005175137.tif 000005
【図４】
2005175137.tif 000006
【図５】
2005175137.tif 000007
【図６】
2005175137.tif 000008
【図７】
2005175137.tif 000009
【図８】
2005175137.tif 000010
【図９】
2005175137.tif 000011